(57)【要約】【課題】一時的に受信強度が低下した場合にも、フルセグ放送に基づく表示と、フルセグ放送よりも情報量が少ないワンセグ放送に基づく表示とを適切に切り替えることが可能な放送受信機能付き移動端末を提供する。【解決手段】このタブレット端末１００（放送受信機能付き移動端末）は、フルセグ放送と、フルセグ放送よりも情報量が少ないワンセグ放送とを含むデジタルテレビ放送信号を受信可能なチューナ１と、チューナ１がデジタルテレビ放送信号を受信中の所定のタイミングで位置情報を取得可能なＧＰＳ機能部３と、ＧＰＳ機能部３により取得された位置情報に関連付けられたフルセグ放送およびワンセグ放送の利用履歴情報を用いて、フルセグ放送に基づく表示と、ワンセグ放送に基づく表示とを切り替える制御を行う制御部６とを備える。【選択図】図３
2014110541.tif 000002
【特許請求の範囲】
【請求項１】
第１放送と、前記第１放送よりも情報量が少ない第２放送とを含む放送信号を受信可能な受信部と、
前記受信部が前記放送信号を受信中の所定のタイミングで位置情報を取得可能な位置情報取得部と、
前記位置情報取得部により取得された前記位置情報に関連付けられた前記第１放送および前記第２放送の少なくとも一方の利用履歴情報を用いて、前記第１放送に基づく表示と、前記第２放送に基づく表示とを切り替える制御を行う制御部とを備える、放送受信機能付き移動端末。
【請求項２】
前記制御部は、前記利用履歴情報に基づいて、前記放送信号の強度閾値を設定するとともに、前記受信部による前記放送信号の受信強度と設定された前記強度閾値とを比較して、前記第１放送に基づく表示を行う高画質モードと、前記第２放送に基づく表示を行う低画質モードとを切り替える制御を行うように構成されている、請求項１に記載の放送受信機能付き移動端末。
【請求項３】
前記制御部は、前記利用履歴情報に基づいて、前記高画質モードが利用されていた履歴が存在する前記位置情報に対応する位置で前記放送信号を受信する場合には、それ以外の位置で前記放送信号を受信する場合よりも小さい値の第１強度閾値に前記強度閾値を設定するように構成されている、請求項２に記載の放送受信機能付き移動端末。
【請求項４】
前記制御部は、前記利用履歴情報に基づいて、前記高画質モードが利用されていた履歴が存在する前記位置情報に対応する位置以外の位置で前記放送信号を受信する場合には、前記強度閾値を前記第１強度閾値よりも大きい第２強度閾値に設定するように構成されている、請求項３に記載の放送受信機能付き移動端末。
【請求項５】
前記制御部は、前記移動端末の移動速さが所定の速さ以上の場合には、前記利用履歴情報にかかわらず、前記強度閾値を前記第２強度閾値に設定するように構成されている、請求項４に記載の放送受信機能付き移動端末。
【請求項６】
前記制御部は、前記放送信号の受信強度が前記第２強度閾値未満でかつ前記第１強度閾値以上の状態が所定時間継続した場合には、前記利用履歴情報にかかわらず、前記高画質モードから前記低画質モードに切り替える制御を行うように構成されている、請求項４または５に記載の放送受信機能付き移動端末。
【請求項７】
前記制御部は、前記放送信号の受信強度が前記第２強度閾値未満でかつ前記第１強度閾値以上になった場合に、前記高画質モードを継続させながら、バックグラウンドで前記低画質モード用の前記第２放送のデコード動作を開始する制御を行うように構成されている、請求項４〜６のいずれか１項に記載の放送受信機能付き移動端末。
【請求項８】
前記制御部は、前記放送信号の受信強度が前記強度閾値以上の場合には、前記高画質モードに切り替える制御を行い、前記放送信号の受信強度が前記強度閾値未満の場合には、前記低画質モードに切り替える制御を行うように構成されている、請求項２〜７のいずれか１項に記載の放送受信機能付き移動端末。
【請求項９】
前記利用履歴情報を記憶可能な記憶部をさらに備え、
前記制御部は、前記受信部が前記放送信号を受信している場合に、前記位置情報取得部により取得された前記位置情報に関連付けて、前記第１放送および前記第２放送の少なくとも一方の利用状況を前記利用履歴情報として前記記憶部に蓄積させるように構成されている、請求項１〜８のいずれか１項に記載の放送受信機能付き移動端末。
【発明の詳細な説明】
【技術分野】
【０００１】
この発明は、放送受信機能付き移動端末に関し、特に、放送信号を受信可能な放送受信機能付き移動端末に関する。
【背景技術】
【０００２】
従来、放送信号を受信可能な放送受信機能付き移動端末が知られている（たとえば、特許文献１参照）。
【０００３】
上記特許文献１には、１個のセグメントが割り当てられるＡ階層のコンテンツ（第２放送）と、１２個のセグメントが割り当てられ、情報量がＡ階層のコンテンツよりも多いＢ階層のコンテンツ（第１放送）とを含む地上デジタル放送信号を受信可能な地上デジタル放送受信装置（放送受信機能付き移動端末）が開示されている。この地上デジタル放送受信装置は、情報量が多いＢ階層のコンテンツに基づく映像を視聴している場合には、地上デジタル放送信号の受信品質（受信強度）が第１の閾値より低下すると、情報量が少ないＡ階層のコンテンツに基づく映像に切り替え、情報量が少ないＡ階層のコンテンツに基づく映像を視聴している場合には、地上デジタル放送信号の受信品質（受信強度）が第１の閾値よりも大きい第２の閾値を超えると、情報量が多いＢ階層のコンテンツに基づく映像に切り替えるように構成されている。
【先行技術文献】
【特許文献】
【０００４】
【特許文献１】特許第４３４５５０８号公報
【発明の概要】
【発明が解決しようとする課題】
【０００５】
しかしながら、上記特許文献１の地上デジタル放送受信装置（放送受信機能付き移動端末）では、通勤時や外出時など、今まで情報量が多いＢ階層のコンテンツに基づく映像を視聴することができた位置であるにもかかわらず、ユーザの近くに偶然一時的な障害物（大型トラックなど）が存在するなど、一時的に地上デジタル放送信号の受信品質（受信強度）が低下した場合には、情報量が多いＢ階層のコンテンツに基づく映像から情報量が少ないＡ階層のコンテンツに基づく映像に切り替わってしまう場合があるという不都合がある。すなわち、上記特許文献１の地上デジタル放送受信装置では、一時的に受信強度が低下した場合に、情報量が少ないＡ階層のコンテンツに基づく映像と情報量が多いＢ階層のコンテンツに基づく映像とを適切に切り替えることが困難であるという問題点がある。
【０００６】
この発明は、上記のような課題を解決するためになされたものであり、この発明の１つの目的は、一時的に受信強度が低下した場合にも、第１放送に基づく表示と、第１放送よりも情報量が少ない第２放送に基づく表示とを適切に切り替えることが可能な放送受信機能付き移動端末を提供することである。
【課題を解決するための手段】
【０００７】
この発明の一の局面による放送受信機能付き移動端末は、第１放送と、第１放送よりも情報量が少ない第２放送とを含む放送信号を受信可能な受信部と、受信部が放送信号を受信中の所定のタイミングで位置情報を取得可能な位置情報取得部と、位置情報取得部により取得された位置情報に関連付けられた第１放送および第２放送の少なくとも一方の利用履歴情報を用いて、第１放送に基づく表示と、第２放送に基づく表示とを切り替える制御を行う制御部とを備える。
【０００８】
この発明の一の局面による放送受信機能付き移動端末では、上記のように、位置情報取得部により取得された位置情報に関連付けられた第１放送および第２放送の少なくとも一方の利用履歴情報を用いて、第１放送に基づく表示と、第１放送よりも情報量が少ない第２放送に基づく表示とを切り替える制御を行う制御部を設けることによって、ユーザの近くに偶然一時的な障害物（大型トラックなど）が存在して受信部による放送信号の受信強度が一時的に低下した場合でも、利用履歴情報を用いて、今まで第１放送に基づく表示を視聴することができていた位置であれば、他の位置に比べて第１放送に基づく表示が維持され易いようにすることができる。これにより、一時的な障害物に起因して一時的に受信強度が低下しただけの状況でも、第１放送に基づく表示から情報量が少ない第２放送に基づく表示に切り替わってしまう場合とは異なり、第１放送に基づく表示と、第１放送よりも情報量が少ない第２放送に基づく表示とを適切に切り替えることができる。また、タブレット端末など、比較的表示画面が大きく、情報量が少ない第２放送に基づく表示にした場合に画質の低さが視覚的に認識され易い移動端末においては、第１放送に基づく表示が維持され易くなる本願発明はより有効である。
【０００９】
上記一の局面による放送受信機能付き移動端末において、好ましくは、制御部は、利用履歴情報に基づいて、放送信号の強度閾値を設定するとともに、受信部による放送信号の受信強度と設定された強度閾値とを比較して、第１放送に基づく表示を行う高画質モードと、第２放送に基づく表示を行う低画質モードとを切り替える制御を行うように構成されている。このように構成すれば、利用履歴情報に基づいて強度閾値が変更されるので、容易に、一時的に受信強度が低下した場合の高画質モードの維持度合いを調整することができる。
【００１０】
この場合、好ましくは、制御部は、利用履歴情報に基づいて、高画質モードが利用されていた履歴が存在する位置情報に対応する位置で放送信号を受信する場合には、それ以外の位置で放送信号を受信する場合よりも小さい値の第１強度閾値に強度閾値を設定するように構成されている。このように構成すれば、今まで高画質の映像を視聴することができていた位置に対応する位置で放送信号を受信する場合に、容易に、それ以外の位置に比べて高画質モードが維持され易いようにすることができる。
【００１１】
上記高画質モードが利用されていた履歴が存在する位置情報に対応する位置で放送信号を受信する場合に第１強度閾値に設定する構成において、好ましくは、制御部は、利用履歴情報に基づいて、高画質モードが利用されていた履歴が存在する位置情報に対応する位置以外の位置で放送信号を受信する場合には、強度閾値を第１強度閾値よりも大きい第２強度閾値に設定するように構成されている。このように構成すれば、高画質モードが利用されていた履歴が存在しない位置では、高画質モードが利用されていた履歴が存在する位置に比べてより厳しい条件（より高い強度閾値）で高画質の映像と低画質の映像とが切り替えられるので、受信強度の低下が一時的ではない場合に、高画質の映像が視聴困難な程度まで受信強度が低下しているにもかかわらず高画質モードが維持されてしまうのを抑制することができる。
【００１２】
上記高画質モードが利用されていた履歴が存在する位置情報に対応する位置以外の位置で放送信号を受信する場合に第２強度閾値に設定する構成において、好ましくは、制御部は、移動端末の移動速さが所定の速さ以上の場合には、利用履歴情報にかかわらず、強度閾値を第２強度閾値に設定するように構成されている。ここで、低画質モードは、移動速さが大きくなっても、高画質モードよりも映像の乱れが発生し難い特性がある。このため、上記のように構成すれば、移動速さが大きい場合には、大きい強度閾値を用いて低画質モードに切り替わり易くすることができるので、早期に低画質モードに切り替えて映像の乱れを抑制することができる。
【００１３】
上記高画質モードが利用されていた履歴が存在する位置情報に対応する位置以外の位置で放送信号を受信する場合に第２強度閾値に設定する構成において、好ましくは、制御部は、放送信号の受信強度が第２強度閾値未満でかつ第１強度閾値以上の状態が所定時間継続した場合には、利用履歴情報にかかわらず、高画質モードから低画質モードに切り替える制御を行うように構成されている。このように構成すれば、高画質モードにおいて受信強度が低下して映像に乱れが生じる状態が所定時間継続する場合に、低画質モードに切り替えて映像の乱れを抑制することができる。
【００１４】
上記高画質モードが利用されていた履歴が存在する位置情報に対応する位置以外の位置で放送信号を受信する場合に第２強度閾値に設定する構成において、好ましくは、制御部は、放送信号の受信強度が第２強度閾値未満でかつ第１強度閾値以上になった場合に、高画質モードを継続させながら、バックグラウンドで低画質モード用の第２放送のデコード動作を開始する制御を行うように構成されている。ここで、低画質モード用の第２放送は、高画質モード用の第１放送に比べて情報が高圧縮化されており、デコードするのにより時間が掛かる。そこで、上記のように構成すれば、第２強度閾値未満まで受信強度が低下して高画質モードから低画質モードに切り替わる可能性が高くなった場合に、低画質モードへの切り替え動作に先立って、予めバックグラウンドで低画質モード用の第２放送のデコード動作が開始されるので、高画質モードから低画質モードに切り替えた場合でも、切り替え後の低画質の映像を迅速に出力することができる。
【００１５】
上記強度閾値を設定する構成において、好ましくは、制御部は、放送信号の受信強度が強度閾値以上の場合には、高画質モードに切り替える制御を行い、放送信号の受信強度が強度閾値未満の場合には、低画質モードに切り替える制御を行うように構成されている。このように構成すれば、高画質モードと低画質モードとを容易に切り替えることができる。
【００１６】
上記一の局面による放送受信機能付き移動端末において、好ましくは、利用履歴情報を記憶可能な記憶部をさらに備え、制御部は、受信部が放送信号を受信している場合に、位置情報取得部により取得された位置情報に関連付けて、第１放送および第２放送の少なくとも一方の利用状況を利用履歴情報として記憶部に蓄積させるように構成されている。このように構成すれば、通勤時や休日の外出時など、ユーザの利用場面に応じた利用履歴情報を容易に蓄積することができるので、その利用履歴情報を用いて、第１放送に基づく表示と、第１放送よりも情報量が少ない第２放送に基づく表示とをユーザの利用場面に応じて適切に切り替えることができる。
【発明の効果】
【００１７】
本発明によれば、上記のように、一時的に受信強度が低下した場合にも、第１放送に基づく表示と、第１放送よりも情報量が少ない第２放送に基づく表示とを適切に切り替えることができる。
【図面の簡単な説明】
【００１８】
【図１】本発明の第１および第２実施形態によるタブレット端末の全体の構成を示したブロック図である。
【図２】本発明の第１および第２実施形態によるタブレット端末の利用履歴テーブルを示した図である。
【図３】本発明の第１および第２実施形態によるタブレット端末の制御部による視聴モード切り替え処理を説明するためのフローチャートである。
【図４】本発明の第１実施形態によるタブレット端末の制御部による視聴モード切り替え処理を説明するためのフローチャートである。
【図５】本発明の第２実施形態によるタブレット端末の制御部による視聴モード切り替え処理を説明するためのフローチャートである。
【図６】本発明の第１および第２実施形態の変形例を説明するための図である。
【発明を実施するための形態】
【００１９】
以下、本発明の実施形態を図面に基づいて説明する。
【００２０】
（第１実施形態）
図１および図２を参照して、本発明の第１実施形態によるタブレット端末１００の構成について説明する。なお、第１実施形態では、本発明の放送受信機能付き移動端末をタブレット端末１００に適用した場合について説明する。
【００２１】
第１実施形態によるタブレット端末１００は、デジタルテレビ放送信号を受信してデジタルテレビ放送を視聴可能に構成されている。デジタルテレビ放送信号には、１つのチャンネルを１３セグメントに分割したうちの１２個のセグメントが割り当てられるフルセグ放送と、１３セグメントのうちの１個のセグメントが割り当てられるワンセグ放送とが含まれている。タブレット端末１００は、フルセグモードとワンセグモードとを切り替えてフルセグ放送およびワンセグ放送の両方を視聴可能に構成されている。なお、デジタルテレビ放送信号は、本発明の「放送信号」の一例である。また、フルセグ放送およびワンセグ放送は、それぞれ、本発明の「第１放送」および「第２放送」の一例である。また、フルセグモードおよびワンセグモードは、それぞれ、本発明の「高画質モード」および「低画質モード」の一例である。また、タブレット端末１００は、図１に示すように、チューナ１と、復調部２と、ＧＰＳ機能部３と、記憶部４と、表示部５と、制御部６とを備えている。
【００２２】
チューナ１は、アンテナ１０を介してデジタルテレビ放送信号を受信可能に構成されている。復調部２は、チューナ１により受信されたデジタルテレビ放送信号を復調する機能を有している。また、復調部２は、チューナ１によるデジタルテレビ放送信号の受信強度を信号量と雑音量との比（Ｓ／Ｎ比）として取得可能に構成されている。ＧＰＳ機能部３は、チューナ１がデジタルテレビ放送信号を受信中の所定のタイミングでタブレット端末１００の位置情報を取得するために設けられている。ＧＰＳ機能部３は、ＧＰＳ（Ｇｌｏｂａｌ  Ｐｏｓｉｔｉｏｎｉｎｇ  Ｓｙｓｔｅｍ）により、タブレット端末１００の位置情報（経度および緯度の情報）を取得可能に構成されている。なお、チューナ１は、本発明の「受信部」の一例であり、ＧＰＳ機能部３は、本発明の「位置情報取得部」の一例である。
【００２３】
記憶部４には、図２に示すように、位置情報に関連付けられたフルセグモードおよびワンセグモードの利用状況の情報（利用履歴情報）を含む利用履歴テーブルが格納されている。また、利用履歴テーブルについては以下で詳細に説明する。表示部５は、フルセグモードの際にフルセグ放送の映像を表示するとともに、ワンセグモードの際にワンセグ放送の映像を表示するように構成されている。なお、フルセグ放送は、ワンセグ放送に比べ、高画質の映像を視聴可能であるものの、デジタルテレビ放送信号の受信強度の低下による映像の乱れが発生し易いという特徴を有している。一方、ワンセグ放送は、低画質の映像であるが、デジタルテレビ放送信号の受信強度の低下による映像の乱れがフルセグ放送に比べて発生し難いという特徴を有している。
【００２４】
制御部６は、タブレット端末１００全体を制御する機能を有している。また、制御部６は、復調部２からデジタルテレビ放送信号の受信強度（Ｓ／Ｎ比）を取得するとともに、ＧＰＳ機能部３により取得された位置情報を取得するように構成されている。また、制御部６は、復調部２により復調されたフルセグ放送およびワンセグ放送をデコードする機能を有している。制御部６は、フルセグ放送およびワンセグ放送のデコード動作を互いに独立して行うことが可能であるとともに、フルセグ放送およびワンセグ放送のデコード動作を互いに並行して行うことも可能に構成されている。また、制御部６は、チューナ１がデジタルテレビ放送信号を受信している場合に、ＧＰＳ機能部３から取得する位置情報に関連付けてフルセグモードおよびワンセグモードの利用状況の情報（利用履歴情報）を記憶部４の利用履歴テーブルに書き込む制御を行うように構成されている。すなわち、制御部６は、各位置で利用した視聴モードを利用履歴テーブルに書き込む制御を行う。これにより、利用履歴テーブルには、図２に示すように、各位置におけるフルセグモードおよびワンセグモードの利用状況の情報が位置情報に関連付けられて記録される。また、制御部６は、フルセグモードおよびワンセグモードの利用状況の情報を利用履歴テーブルに蓄積させるように構成されている。蓄積された情報は、インデックス番号が付された状態で記録されている。すなわち、利用履歴テーブルには、過去に、どの場所（位置）でフルセグモードが利用され、どの場所でワンセグモードが利用されていたかを示す情報が含まれている。
【００２５】
制御部６は、デジタルテレビ放送信号の受信強度（Ｓ／Ｎ比）と視聴モード切り替え用の閾値Ｘとを比較して、フルセグモードとワンセグモードとを切り替える制御を行うように構成されている。具体的には、制御部６は、デジタルテレビ放送信号の受信強度（Ｓ／Ｎ比）が閾値Ｘ以上の場合には、フルセグモードに設定するとともに、デジタルテレビ放送信号の受信強度（Ｓ／Ｎ比）が閾値Ｘ未満の場合には、ワンセグモードに設定する。また、制御部６は、利用履歴テーブルの利用状況の情報（利用履歴情報）に基づいて、閾値Ｘを設定するように構成されている。すなわち、制御部６は、利用履歴テーブルの利用状況の情報（利用履歴情報）を用いて、フルセグモードとワンセグモードとを切り替える制御を行うように構成されている。なお、閾値Ｘは、本発明の「強度閾値」の一例である。
【００２６】
次に、図３および図４を参照して、第１実施形態によるタブレット端末１００の制御部６により実行される視聴モード切り替え処理について説明する。この処理は、ユーザがテレビを視聴している間、約１／１００秒間隔で継続的に実行される。
【００２７】
まず、制御部６は、ステップＳ１において、復調部２からデジタルテレビ放送信号の受信強度（Ｓ／Ｎ比）を取得し、ステップＳ２において、ＧＰＳ機能部３から現在の位置情報Ｐ１（経度および緯度の情報）を取得する。そして、制御部６は、ステップＳ３において、前回（約１／１００秒前に）取得した位置情報Ｐ０から現在の位置情報Ｐ１への変化量（移動量）を算出し、ステップＳ４において、その変化量が所定量以上か否かを判断する。すなわち、制御部６は、ユーザの移動速さ（タブレット端末１００の移動速さ）が所定の速さ以上か否かを判断する。所定量は、たとえば、速さ３０ｋｍ／ｈに対応する位置情報の変化量である。
【００２８】
位置情報の変化量が所定量以上の場合（たとえば、移動速さが３０ｋｍ／ｈ以上の場合）には、制御部６は、ステップＳ５において、利用履歴テーブルの内容にかかわらず、閾値Ｘを閾値Ａに設定する。閾値Ａは、ワンセグ放送の映像を問題なく視聴可能であるが、フルセグ放送の映像が視聴困難になりそうな値であり、たとえば、Ｓ／Ｎ比で１８ｄＢである。なお、閾値Ａは、本発明の「第２強度閾値」の一例である。
【００２９】
一方、位置情報の変化量が所定量未満の場合（たとえば、移動速さが３０ｋｍ／ｈ未満の場合）には、制御部６は、ステップＳ６において、現在位置に対応する位置Ｐ１ａでのフルセグモードおよびワンセグモードの利用状況の情報を利用履歴テーブル内で検索する。この際、制御部６は、現在位置に対応する位置Ｐ１ａとして、現在位置から所定範囲内（たとえば、半径５ｍの範囲内）の位置での利用状況を検索する。
【００３０】
そして、制御部６は、ステップＳ７において、現在位置に対応する位置Ｐ１ａの情報が利用履歴テーブル内に存在するか否かを判断し、存在しない場合には、ステップＳ５において、閾値Ｘを閾値Ａに設定する。利用履歴テーブル内に位置Ｐ１ａにおける利用状況の情報が存在する場合には、制御部６は、ステップＳ８において、位置Ｐ１ａにおけるフルセグモードおよびワンセグモードの利用状況を確認する。ステップＳ９において、制御部６は、位置Ｐ１ａにおいてフルセグモードを利用していたか否かを判断し、フルセグモードを利用していない場合（ワンセグモードを利用していた場合）には、ステップＳ５において、閾値Ｘを閾値Ａに設定する。すなわち、利用履歴テーブルに基づいて、対応する位置での利用状況の情報が存在しない位置、または、ワンセグモードが利用されていた履歴が存在する位置情報に対応する位置（フルセグモードが利用されていた履歴が存在する位置情報に対応する位置以外の位置）でデジタルテレビ放送信号を受信する場合には、閾値Ｘが閾値Ａに設定される。
【００３１】
位置Ｐ１ａにおいてフルセグモードを利用していた場合には、ステップＳ１０において、閾値Ｘを、閾値Ａよりも小さい値の閾値Ｂに設定する。閾値Ｂは、ワンセグ放送の映像が視聴困難になりそうな値であり、たとえば、Ｓ／Ｎ比で８ｄＢである。なお、閾値Ｂは、本発明の「第１強度閾値」の一例である。上記のように、制御部６は、利用履歴テーブルに基づいて、フルセグモードが利用されていた履歴が存在する位置情報に対応する位置でデジタルテレビ放送信号を受信する場合にだけ、閾値Ｘを閾値Ｂに設定する。すなわち、過去にフルセグモードが利用されていた位置の近傍（たとえば、半径５ｍの範囲）でデジタルテレビ放送信号を受信する場合に、閾値Ｘが閾値Ｂに設定される。
【００３２】
その後、制御部６は、ステップＳ１１において、ステップＳ１で取得した受信強度（Ｓ／Ｎ比）がステップＳ５またはステップＳ１０で設定した閾値Ｘ（閾値ＡまたはＢ）以上であるか否かを判断する。受信強度が閾値Ｘ以上であれば、制御部６は、ステップＳ１２において、フルセグモードに設定し、受信強度が閾値Ｘ未満であれば、ステップＳ１３において、ワンセグモードに設定する。制御部６は、フルセグモードに設定した場合には、復調部２により復調されたフルセグ放送をデコードすることによって表示部５で高画質の映像を視聴可能にするとともに、ワンセグモードに設定した場合には、復調部２により復調されたワンセグ放送をデコードすることによって表示部５で低画質の映像を視聴可能にする。そして、制御部６は、ステップＳ１４において、ステップＳ２で取得した現在の位置情報Ｐ１に関連付けて、今回設定した視聴モード（フルセグモードまたはワンセグモード）の利用状況を利用履歴テーブルに蓄積する制御を行い、ステップＳ１５において、前回の位置情報Ｐ０として現在の位置情報Ｐ１を設定する。なお、ステップＳ１４において、現在位置に対応する利用状況が利用履歴テーブルに既に存在する場合には、今回設定した視聴モードを上書きして情報を更新する。これにより、新たにビルが建つなど電波状況が変化した場合でも、最新の状況に対応可能である。
【００３３】
第１実施形態では、上記のように、ＧＰＳ機能部３により取得された位置情報に関連付けられたフルセグモードの利用状況の情報（利用履歴情報）を用いて、フルセグモードとワンセグモードとを切り替える制御を行うように制御部６を構成することによって、ユーザの近くに偶然一時的な障害物（大型トラックなど）が存在してチューナ１によるデジタルテレビ放送信号の受信強度が一時的に低下した場合でも、フルセグモードの利用状況の情報（利用履歴情報）を用いて、今までフルセグモードの映像を視聴することができていた位置であれば、他の位置に比べてフルセグモードが維持され易いようにすることができる。これにより、一時的な障害物に起因して一時的に受信強度が低下しただけの状況でも、フルセグモードからワンセグモードに切り替わってしまう場合とは異なり、ワンセグモードの映像とフルセグモードの映像とを適切に切り替えることができる。また、第１実施形態のタブレット端末１００のように、比較的表示画面が大きく、低画質にした場合に画質の低さが視覚的に認識され易い移動端末においては、高画質のフルセグモードが維持され易くなる本願発明はより有効である。
【００３４】
また、第１実施形態では、利用状況の情報（利用履歴情報）に基づいて、デジタルテレビ放送信号の強度閾値Ｘを設定するとともに、チューナ１によるデジタルテレビ放送信号の受信強度と設定された強度閾値Ｘとを比較して、フルセグモードとワンセグモードとを切り替える制御を行うように制御部６を構成する。これにより、利用状況の情報（利用履歴情報）に基づいて強度閾値Ｘが変更されるので、容易に、一時的に受信強度が低下した場合のフルセグモードの維持度合いを調整することができる。
【００３５】
また、第１実施形態では、利用状況の情報（利用履歴情報）に基づいて、フルセグモードが利用されていた履歴が存在する位置情報に対応する位置でデジタルテレビ放送信号を受信する場合には、それ以外の位置でデジタルテレビ放送信号を受信する場合よりも小さい値の閾値Ｂに強度閾値Ｘを設定するように制御部６を構成する。これにより、今まで高画質の映像を視聴することができていた位置に対応する位置でデジタルテレビ放送信号を受信する場合に、容易に、それ以外の位置に比べてフルセグモードが維持され易いようにすることができる。
【００３６】
また、第１実施形態では、利用状況の情報（利用履歴情報）に基づいて、フルセグモードが利用されていた履歴が存在する位置情報に対応する位置以外の位置でデジタルテレビ放送信号を受信する場合には、強度閾値Ｘを閾値Ｂよりも大きい閾値Ａに設定するように制御部６を構成する。これにより、フルセグモードが利用されていた履歴が存在しない位置では、フルセグモードが利用されていた履歴が存在する位置に比べてより厳しい条件（より高い強度閾値）で高画質の映像と低画質の映像とが切り替えられるので、受信強度の低下が一時的ではない場合に、高画質の映像が視聴困難な程度まで受信強度が低下しているにもかかわらずフルセグモードが維持されてしまうのを抑制することができる。
【００３７】
また、第１実施形態では、ユーザの移動速さが所定の速さ以上の場合には、利用状況の情報（利用履歴情報）にかかわらず、強度閾値Ｘを閾値Ａに設定するように制御部６を構成する。これにより、移動速さが大きい場合には、大きい強度閾値Ｘを用いてワンセグモードに切り替わり易くすることができるので、早期にワンセグモードに切り替えて映像の乱れを抑制することができる。
【００３８】
また、第１実施形態では、チューナ１がデジタルテレビ放送信号を受信している場合に、ＧＰＳ機能部３により取得された位置情報に関連付けて、フルセグモードの利用状況を記憶部４に蓄積させるように制御部６を構成する。これにより、通勤時や休日の外出時など、ユーザの利用場面に応じた利用履歴情報を容易に蓄積することができるので、その利用履歴情報を用いて、低画質の映像と高画質の映像とをユーザの利用場面に応じて適切に切り替えることができる。
【００３９】
（第２実施形態）
次に、図５を参照して、本発明の第２実施形態によるタブレット端末１００の構成について説明する。この第２実施形態では、上記第１実施形態と異なり、デジタルテレビ放送信号の受信強度が閾値Ａ未満でかつ閾値Ｂ以上になった場合に、ワンセグモードへの切り替え動作に先立って、ワンセグ放送のデコード動作を開始する構成について説明する。
【００４０】
第２実施形態では、制御部６は、デジタルテレビ放送信号の受信強度が閾値Ａ未満でかつ閾値Ｂ以上の状態が所定時間（たとえば、１０秒）継続した場合に、フルセグモードの利用状況の情報（利用履歴情報）にかかわらず、フルセグモードからワンセグモードに切り替える制御を行うように構成されている。また、制御部６は、デジタルテレビ放送信号の受信強度が閾値Ａ未満でかつ閾値Ｂ以上になった場合に、フルセグモードを継続させながら、バックグラウンドで、ワンセグモードへの切り替え動作に先立って、ワンセグ放送のデコード動作を開始するように構成されている。すなわち、制御部６は、デジタルテレビ放送信号の受信強度が閾値Ａ未満でかつ閾値Ｂ以上の場合には、フルセグ放送およびワンセグ放送の両方のデコードを並行して行う。
【００４１】
次に、図３および図５を参照して、第２実施形態によるタブレット端末１００の制御部６により実行される視聴モード切り替え処理について説明する。なお、以下の説明では、図３および図４に示した上記第１実施形態におけるステップ番号と同じステップ番号の動作は、上記第１実施形態と同様であるのでその説明を省略する。具体的には、第２実施形態のステップＳ１〜ステップＳ１１、ステップＳ１４およびステップＳ１５の動作は、上記第１実施形態と同様である。
【００４２】
制御部６は、ステップＳ１１において、ステップＳ１で取得した受信強度（Ｓ／Ｎ比）がステップＳ５またはステップＳ１０で設定した閾値Ｘ（閾値ＡまたはＢ）以上であるか否かを判断した後、受信強度が閾値Ｘ以上の場合（高レベルまたは中レベルの場合）には、ステップＳ２１において、ワンセグモードに切り替えるためのワンセグタイマがタイムアウトした（受信強度が閾値Ａ未満でかつ閾値Ｂ以上の状態が所定時間（たとえば、１０秒）継続した）か否かを判断する。また、制御部６は、受信強度が閾値Ｘ未満の場合には、ステップＳ３２において、ワンセグモードに設定する。制御部６は、ワンセグタイマがタイムアウトしていない場合には、ステップＳ２２において、フルセグモードに設定し、ワンセグタイマがタイムアウトした場合には、ステップＳ３２において、利用状況の情報（利用履歴情報）にかかわらず、ワンセグモードに設定する。制御部６は、フルセグモードに設定した場合には、復調部２により復調されたフルセグ放送をデコードし、ワンセグモードに設定した場合には、復調部２により復調されたワンセグ放送をデコードする。
【００４３】
制御部６は、フルセグモードに設定した後、ステップＳ２３において、ステップＳ１で取得した受信強度（Ｓ／Ｎ比）が、フルセグ放送の映像が視聴困難になりそうな値である閾値Ａ以上であるか否かを判断する。受信強度が閾値Ａ以上の場合には、制御部６は、ステップＳ２４において、受信強度の状態を示す弱入力判定フラグがＦ＝１（有効）か否かを判断する。すなわち、制御部６は、受信強度がフルセグ放送を問題なく視聴可能な高い値（高レベル）である場合に、ステップＳ２４において、弱入力判定フラグがＦ＝１（有効）か否かを判断する。なお、弱入力判定フラグは、後述するように、受信強度が閾値Ａ未満でかつ閾値Ｂ以上の中レベルの状態であることを示すフラグである。
【００４４】
制御部６は、弱入力判定フラグがＦ＝１（有効）の場合には、ステップＳ２５において、弱入力判定フラグをＦ＝０（無効）に設定する。弱入力判定フラグがＦ＝１（有効）の場合とは、後述するように、ステップＳ３０およびＳ３１において、バックグラウンドでワンセグ放送のデコード動作が開始されるとともにワンセグタイマの動作が開始されている状態である。この場合、制御部６は、ステップＳ２６において、バックグラウンドでのワンセグ放送のデコード動作を停止するとともに、ステップＳ２７において、ワンセグタイマを停止させる。一方、弱入力判定フラグがＦ＝０（無効）の場合には、制御部６は、ステップＳ２５〜Ｓ２７の動作をスキップしてステップＳ１４に移行する。
【００４５】
受信強度が閾値Ａ未満の場合には、制御部６は、ステップＳ２８において、弱入力判定フラグがＦ＝０（無効）か否かを判断する。弱入力判定フラグがＦ＝０（無効）の場合には、制御部６は、ステップＳ２９において、弱入力判定フラグをＦ＝１（有効）に設定する。そして、制御部６は、ステップＳ３０において、フルセグモードを継続させながら、バックグラウンドでワンセグ放送のデコード動作を開始する。この際、制御部６は、フルセグ放送およびワンセグ放送の両方のデコード動作を並行して行っている。また、制御部６は、ステップＳ３１において、ワンセグタイマの動作を開始する制御を行う。
【００４６】
制御部６は、ステップＳ３２でワンセグモードに設定した後、ステップＳ３３において、弱入力判定フラグがＦ＝１（有効）か否かを判断する。弱入力判定フラグがＦ＝１（有効）の場合には、制御部６は、ステップＳ３４において、弱入力判定フラグをＦ＝０（無効）に設定し、ステップＳ３５において、ワンセグタイマを停止させる。弱入力判定フラグがＦ＝０（無効）の場合には、制御部６は、ステップＳ３４およびＳ３５の動作をスキップしてステップＳ１４に移行する。
【００４７】
なお、第２実施形態のその他の構成は、上記第１実施形態と同様である。
【００４８】
第２実施形態の構成では、上記のように、デジタルテレビ放送信号の受信強度が閾値Ａ未満でかつ閾値Ｂ以上の状態が所定時間継続した場合には、フルセグモードの利用状況の情報（利用履歴情報）にかかわらず、フルセグモードからワンセグモードに切り替える制御を行うように制御部６を構成する。これにより、フルセグモードにおいて受信強度が低下して映像に乱れが生じる状態が所定時間継続する場合に、ワンセグモードに切り替えて映像の乱れを抑制することができる。
【００４９】
また、第２実施形態の構成では、上記のように、デジタルテレビ放送信号の受信強度が閾値Ａ未満でかつ閾値Ｂ以上になった場合に、フルセグモードを継続させながら、バックグラウンドでワンセグ放送のデコード動作を開始する制御を行うように制御部６を構成する。これにより、閾値Ａ未満まで受信強度が低下してフルセグモードからワンセグモードに切り替わる可能性が高くなった場合に、ワンセグモードへの切り替え動作に先立って、予めバックグラウンドでワンセグ放送のデコード動作が開始されるので、フルセグモードからワンセグモードに切り替えた場合でも、切り替え後の低画質の映像を迅速に出力することができる。
【００５０】
また、第２実施形態の構成でも、上記第１実施形態と同様に、ＧＰＳ機能部３により取得された位置情報に関連付けられたフルセグモードの利用状況の情報（利用履歴情報）を用いて、フルセグモードとワンセグモードとを切り替える制御を行うように制御部６を構成することによって、一時的な障害物に起因して一時的に受信強度が低下しただけの状況でも、フルセグモードからワンセグモードに切り替わってしまう場合とは異なり、低画質の映像と高画質の映像とを適切に切り替えることができる。
【００５１】
なお、第２実施形態のその他の効果は、上記第１実施形態と同様である。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記第１および第２実施形態では、本発明の放送受信機能付き移動端末をタブレット端末に適用する例を示したが、本発明はこれに限られない。本発明を、携帯電話やノートパソコンなど、タブレット端末以外の放送受信機能付き移動端末に適用してもよい。
【００５４】
また、上記第１および第２実施形態では、本発明の第１放送および第２放送の一例として、それぞれ、１２個のセグメントが割り当てられたフルセグ放送および１個のセグメントが割り当てられたワンセグ放送を示したが、本発明はこれに限られない。本発明では、第２放送に第１放送よりも少ないセグメント数が割り当てられていれば、第１放送および第２放送がそれぞれフルセグ放送およびワンセグ放送以外の放送であってもよい。また、本発明では、割り当てられたセグメントの数に限らず、第２放送が、第１放送よりも情報量が少ない放送であればよい。
【００５５】
また、上記第１および第２実施形態では、本発明の位置情報取得部の一例として、ＧＰＳにより位置情報を取得するＧＰＳ機能部を示したが、本発明はこれに限られない。本発明では、たとえば、Ｗｉ−Ｆｉ（登録商標）の電波情報や携帯基地局の位置情報などに基づいて放送受信機能付き移動端末の位置情報を取得する、ＧＰＳ機能部以外の位置情報取得部であってもよい。
【００５６】
また、上記第１および第２実施形態では、利用履歴テーブルに、フルセグモードおよびワンセグモードの両方の利用状況の情報を蓄積する構成の例を示したが、本発明はこれに限られない。本発明では、フルセグモード（高画質モード）およびワンセグモード（低画質モード）の一方のみの利用状況の情報を蓄積する構成であってもよい。これにより、利用履歴情報の情報量を少なくすることが可能である。また、位置情報取得部により取得された全ての位置情報に関連付けてフルセグモード（高画質モード）およびワンセグモード（低画質モード）の利用状況の情報を蓄積するのではなく、現在位置に対応する位置情報が利用履歴テーブルに存在しない場合にだけ、現在の位置情報に関連付けて利用状況の情報を蓄積するようにしてもよい。これによっても、利用履歴情報の情報量を少なくすることが可能である。
【００５７】
また、上記第１および第２実施形態では、フルセグモードの利用状況の情報（利用履歴情報）に基づいて、フルセグモード（高画質モード）を利用していた履歴が存在する位置情報に対応する位置の場合に、閾値Ｘ（強度閾値）を閾値Ｂ（第１強度閾値）に設定する構成の例を示したが、本発明はこれに限られない。本発明では、たとえば、図６に示すように、利用履歴テーブルに、利用状況に加えて、位置情報に関連付けて、曜日情報および時間帯情報を蓄積し、フルセグモード（高画質モード）を利用していた位置情報に対応する位置の場合で、かつ、曜日情報および時間帯情報の両方が合致する場合に、閾値Ｘ（強度閾値）を閾値Ｂ（第１強度閾値）に設定する構成であってもよい。また、フルセグモード（高画質モード）の利用状況に加えて、利用履歴テーブルの曜日情報および時間帯情報以外の情報に基づいて、強度閾値を設定してもよい。
【００５８】
また、上記第１および第２実施形態では、フルセグモードの利用状況の情報（利用履歴情報）に基づいて、閾値Ｘ（強度閾値）を設定する構成の例を示したが、本発明はこれに限られない。本発明では、たとえば、利用履歴情報に基づいて、フルセグモード（高画質モード）を利用していた履歴が存在する位置情報に対応する位置の場合には、強度閾値の設定を変更することなく、フルセグモード（高画質モード）に設定する構成であってもよい。また、強度閾値を用いずに、利用履歴情報のみに基づいて、フルセグモード（高画質モード）とワンセグモード（低画質モード）とを切り替えるようにしてもよい。
【００５９】
また、上記第１および第２実施形態では、フルセグモードおよびワンセグモードの利用状況の情報（利用履歴情報）を含む利用履歴テーブルを格納する記憶部を、タブレット端末（放送受信機能付き移動端末）に設ける構成の例を示したが、本発明はこれに限られない。本発明では、たとえば、本発明の利用履歴情報を、放送受信機能付き移動端末とは別個に設けられる記憶媒体（外付けの記憶部やメディアカードなど）に記憶する構成であってもよいし、インターネットなどを介して外部から取得する構成であってもよい。
【００６０】
また、上記第１および第２実施形態では、本発明の位置情報の一例として、経度および緯度の情報を示したが、本発明はこれに限られない。本発明では、たとえば、ランドマーク等を予め登録しておき、登録されたランドマークを基準とする位置（距離および方角）の情報や、住所情報など、経度および緯度の情報以外の位置情報であってもよい。
【００６１】
また、上記第１および第２実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００６２】
１  チューナ（受信部）
３  ＧＰＳ機能部（位置情報取得部）
４  記憶部
６  制御部
１００  タブレット端末（放送受信機能付き移動端末）
【図１】
2014110541.tif 000003
【図２】
2014110541.tif 000004
【図３】
2014110541.tif 000005
【図４】
2014110541.tif 000006
【図５】
2014110541.tif 000007
【図６】
2014110541.tif 000008